(57)【要約】【課題】電装品カバーの外れる可能性が少なく、取り付け作業性の良い、圧縮機の圧縮機の電装品保護装置を提供する。【解決手段】電装品カバー１３０の爪部１３１を形成している内壁面で、かつ、電源コード１４０を引出すコード引出し部１４１側の内壁面のみに、ブラケット１２０の下端部１２２と対向する位置にリブ形状の突起部１３５を設け、下端部１２２と突起部１３５との上下方向の隙間Ｓを爪部１３１と係止孔１２１との上下方向の隙間Ｔよりも小さくすることで、電源コード１４０を上方へ引き上げる際に発生する力を、下端部１２２と突起部１３５が当たって受け止めるので、爪部１３１の欠けを防ぐことができる。【選択図】図１
2005307797.tif 000002
【特許請求の範囲】
【請求項１】
電動圧縮機本体に設けたガラスターミナルを囲むように固定されたブラケットと、電装品を覆う電装品カバーとを備え、前記ブラケットは対向する左右２辺に係止孔を有し、前記電装品カバーは内壁面の、前記ブラケットに設けた係止孔に対応する位置に、前記係止孔に係合するテーパ状の爪部を形成するとともに電源コードを引出すコード引出し部を備え、前記コード引出し部側の内壁面に前記ブラケットの下端部と対向する位置に突起部を設けるとともに、前記下端部と前記突起部との上下方向の隙間を前記爪部と前記係止孔との上下方向の隙間よりも小さくした電動圧縮機の電装品保護装置。
【請求項２】
電装品カバーに設けた突起部の高さを爪部の高さよりも高くした請求項１に記載の電動圧縮機の電装品保護装置。
【請求項３】
電装品カバーに設けた突起部の形状を前記電装品カバーの開口端から背面に向かうリブ状の形状とした請求項１または２に記載の電動圧縮機の電装品保護装置。
【請求項４】
突起部は電装品カバーの、電源コードが出る側にのみ設けた請求項１から３のいずれか一項に記載の電動圧縮機の電装品保護装置。
【発明の詳細な説明】
【技術分野】
【０００１】
本発明は、密閉型電動圧縮機の電装品保護装置に関するものである。
【背景技術】
【０００２】
従来、この種の電装品保護装置はワンタッチ挿入の作業にて固定できるものがある（例えば特許文献１参照）。
【０００３】
以下、図面を参照しながら上記従来の電装品保護装置を説明する。
【０００４】
図５は特許文献１に記載された従来の電装品保護装置の分解斜視図、図６は電装品保護装置の取り付け状態の拡大側面図、図７は電装品保護装置の取り付け状態の拡大平面図である。
【０００５】
図５から図７において電動圧縮機本体１０には、これに電気を供給するガラスターミナル１５が取付けられている。このガラスターミナル１５を囲むようにブラケット２０が固着されている。ブラケット２０は対向する左右２辺に係止孔２１を有している。
【０００６】
ガラスターミナル１５に電装品が装着された後、電装品を覆う電装品カバー３０が装着される。この電装品カバー３０は合成樹脂材料により射出成形されている。電装品カバー３０において、ブラケット２０に設けた係止孔２１に対応する位置の内壁面には、係止孔２１に係合するテーパ状の爪部３１を形成している。
【０００７】
また、電装品に電気を供給するための電源コード４０を電装品カバー３０とブラケット２０の間から外側へ引出すためのコード引出し部４１が電装品カバー３０の下側に固設されている。コード引出し部４１は電装品から電源コード４０が外れないように電源コード４０を固定している。
【０００８】
以上のように構成された電装品保護装置について、以下その動作を説明する。
【０００９】
電装品カバー３０をブラケット２０に挿入する際に、テーパ状の爪部３１が係止孔２１を設けたブラケット２０の左右２辺に当たると、電装品カバー３０の爪部３１が設けられている壁面がブラケット２０の左右２辺に対して外側へ歪み、テーパ状の爪部３１がブラケット２０の係止孔２１に係合され、電装品カバー３０はワンタッチでブラケット２０に固定される。
【特許文献１】特開平２−３３４７８号公報
【発明の開示】
【発明が解決しようとする課題】
【００１０】
しかしながら、上記従来の構成では、電装品カバー３０がブラケット２０に固定されている状態において、電装品カバー３０の下方より出ている電源コード４０に、上方へ引き上げる力が加わった場合、爪部３１は係止孔２１と当たり、テーパ状である爪部３１の三角形状の小さな面積に力が掛かり、爪部３１が欠け、電装品カバー３０がブラケット２０から外れてしまうことがあった。
【００１１】
また、電源コード４０に、斜め上方へ引き上げる力が加わった場合、爪部３１を備えた壁面がブラケット２０に対して外側へ歪み、電装品カバー３０がブラケット２０から外れてしまうことがあった。
【００１２】
本発明は、上記従来の課題を解決するもので、電装品カバーが外れにくく、かつ取り付け作業性の良い圧縮機の電装品保護装置を提供することを目的とする。
【課題を解決するための手段】
【００１３】
上記従来の課題を解決するために、本発明の圧縮機の電装品保護装置は、電装品カバーの爪部を形成している内壁面で、かつ、電源コードを引出すコード引出し部側の内壁面に、ブラケットの下端部と対向する位置に突起部を設けるとともに、下端部と突起部との上下方向の隙間を爪部と係止孔との上下方向の隙間よりも小さくしたもので、電装品カバーの下方より出ている電源コードに、斜め上方へ引き上げる力が加わった場合でも、爪部が係止孔に当たる前に、下端部と突起部が当たることにより、爪部と係止孔が当たりにくくなり、爪部が欠けてしまうことを防ぐという作用を有する。
【発明の効果】
【００１４】
本発明の圧縮機の電装品保護装置は、ブラケットの下端部と電装品カバーの突起部が当たることで爪部と係止孔が当たりにくくなり、爪部が欠けてしまうことを防ぐことで、電装品カバーがブラケットから外れにくくなる。
【発明を実施するための最良の形態】
【００１５】
請求項１に記載の発明は、電動圧縮機本体に設けたガラスターミナルを囲むように固定されたブラケットと、電装品を覆う電装品カバーとを備え、前記ブラケットは対向する左右２辺に係止孔を有し、前記電装品カバーは内壁面の、前記ブラケットに設けた係止孔に対応する位置に、前記係止孔に係合するテーパ状の爪部を形成するとともに電源コードを引出すコード引出し部を備え、前記コード引出し部側の内壁面に前記ブラケットの下端部と対向する位置に突起部を設けるとともに、前記下端部と前記突起部との上下方向の隙間を前記爪部と前記係止孔との上下方向の隙間よりも小さくしたもので、前記電装品カバーの下方より出ている前記電源コードに、上方へ引き上げる力が加わった場合、前記爪部が前記係止孔に当たる前に、前記下端部と前記突起部が当たることにより、前記電源コードを上方へ引き上げる際の力を前記突起部が受け止めることができるため、前記爪部は欠けることがなく、前記電装品カバーの外れる可能性を少なくすることができる。
【００１６】
請求項２に記載の発明は、請求項１の発明に前記電装品カバーに設けた前記突起部の高さを前記爪部の高さよりも高くすることにより、前記電装品カバーの下方より出ている前記電源コードに、前記爪部を備えた壁面が前記ブラケットに対して外側方向となるような、斜め上方へ引き上げる力が加わり、請求項１に記載の発明の効果に加えて、前記電装品カバーの壁面が前記ブラケットに対して外側へ歪んだ場合においても、前記突起部を前記下端部に確実に当てて前記突起部で力を受けることができる。
【００１７】
請求項３に記載の発明は、請求項１から２の発明に前記電装品カバーに設けた前記突起部の形状を前記電装品カバーの開口端から背面に向かうリブ状の形状することで、前記電装品カバーの壁面の剛性が高くるため、請求項１または２に記載の発明の効果に加えて、さらに、前記電装品カバーの壁面が前記ブラケットに対して外側へ歪む変形量を少なく抑えることができる。
【００１８】
請求項４に記載の発明は、請求項１から３の発明に前記突起部を前記電装品カバーの、前記電源コードが出る側にのみ設けることで、請求項１から３に記載の発明の効果に加えて、電装品カバーの反対側の壁面は挿入時歪みやすく、電装品カバーをブラケットに挿入する際の作業性を良好に維持することができる。
【００１９】
以下、本発明の実施の形態について、図面を参照しながら説明する。なお、この実施の形態によってこの発明が限定されるものではない。
【００２０】
（実施の形態）
図１は、本発明の実施の形態における電装品保護装置の分解斜視図、図２は電装品カバーの斜視図、図３は電装品保護装置の取り付け状態の拡大側面図、図４は電装品保護装置の取り付け状態の拡大平面図である。
【００２１】
図１から図４において、電動圧縮機本体１１０にはこれに電気を供給するガラスターミナル１１５が取付けられている。このガラスターミナル１１５を囲むようにブラケット１２０が固着されている。ブラケット１２０は金属材料のＳＰＨＣのプレス曲げにて作られており、対向する左右２辺に係止孔１２１を有している。
【００２２】
ガラスターミナル１１５に電装品１１６が装着された後、電装品１１６を覆う電装品カバー１３０が装着される。この電装品カバー１３０は合成樹脂材料のＰＰＥまたはＰＣまたはＰＰまたはＰＢＴとＡＢＳの混合材により射出成形されている。電装品カバー１３０には、ブラケット１２０に設けた係止孔１２１に対応する位置の内壁面に、係止孔１２１に係合するためのテーパ状の爪部１３１を形成している。
【００２３】
また、電装品１１６に電気を供給するための電源コード１４０を電装品カバー１３０とブラケット１２０の間から外側へ引出すためのコード引出し部１４１が電装品カバー１３０の下側に固設されている。コード引出し部１４１は電装品１１６から電源コード１４０が外れないように電源コード１４０を固定している。さらには、電装品カバー１３０は、この電源コード１４０が引出される場所側と同じ側の内壁面にのみ、爪部１３１の下方に、爪部１３１の高さｈよりも高い高さＨにて、電装品カバー１３０の開口端１３７から背面１３８に向かうリブ形状の突起部１３５を設けている。電装品カバー１３０をブラケット１２０に固定した際に、ブラケット１２０の下端部１２２と電装品カバー１３０の突起部１３５との上下方向の隙間Ｓは、電装品カバー１３０の爪部１３１とブラケット１２０の係止孔１２１との上下方向の隙間Ｔよりも小さくなる構成としている。
【００２４】
以上のように構成された電装品保護装置について、以下その動作、作用を説明する。
【００２５】
電装品カバー１３０をブラケット１２０に挿入する際に、テーパ状の爪部１３１が係止孔１２１を設けたブラケット１２０の左右２辺に当たると、電装品カバー１３０の左右両壁面がブラケット１２０の左右２辺に対して外側へ歪み、テーパ状の爪部１３１がブラケット１２０の係止孔１２１に係合され、電装品カバー１３０はワンタッチでブラケット１２０に固定されるので取り付け作業性が良好である。
【００２６】
電装品カバー１３０がブラケット１２０に固定された状態において、電装品カバー１３０の下方より出ている電源コード１４０を上方へ引き上げる力が加わった場合、電装品カバー１３０はブラケット１２０に対して上方向へずれる。
【００２７】
しかしながらブラケット１２０の下端部１２２と電装品カバー１３０の突起部１３５との上下方向の隙間Ｓが、電装品カバー１３０の爪部１３１とブラケット１２０の係止孔１２１との上下方向の隙間Ｔよりも小さいことにより、爪部１３１が係止孔１２１に当たる前に、電装品カバー１３０のリブ形状の突起部１３５とブラケット１２０の下端部１２２が当たる。
【００２８】
従って、電源コード１４０を上方へ引き上げる際の力を突起部１３５が受け止めることができるため、爪部１３１には係止孔１２１からの力が掛かりにくく、その結果、爪部１３１の欠けを防ぐことができ、電装品カバー１３０が外れにくくなる。
【００２９】
また、電源コード１４０を斜め上方へ引き上げる外側方向への力が加わると、電装品カバー１３０の壁面がブラケット１２０に対し外側へ歪む。
【００３０】
しかしながら本実施の形態では爪部１３１の高さｈよりも突起部１３５の高さＨを高くしているので、爪部１３１が係止孔１２１に当たる前に、突起部１３５は下端部１２２に確実に当てることができる。
【００３１】
さらには、突起部１３５は電装品カバー１３０の開口端１３７から背面１３８に向かうリブ形状をしているので、コード引出し部１４１が固設されている側の電装品カバー１３０の壁面の剛性を上げるため、電源コード１４０を斜め上方へ引き上げる外側方向への力が加わった際の、壁面がブラケット１２０に対し外側へ歪む量を小さく抑えることができ、さらに電装品カバー１３０がブラケット１２０から外れにくくなる。
【００３２】
また、電装品カバー１３０のリブ形状の突起部１３５を電源コード１４０が出る側の内壁面側にのみ設け、反対側の壁面には設けていないので、この反対側の壁面は剛性が低く、歪みやすいので、電装品カバー１３０をブラケット１２０に挿入する際、硬くて入りづらくなることを回避でき、良好な作業性を維持することができる。
【産業上の利用可能性】
【００３３】
以上のように、本発明にかかる圧縮機の電装品保護装置は、電装品カバーの外れる可能性を少なくすることができるとともに、電装品カバーをブラケットに挿入する際の作業性を良くすることが可能となるので、冷蔵庫、エアーコンディショナー、冷凍冷蔵装置等のあらゆる圧縮機の電装品保護装置に適用できる。
【図面の簡単な説明】
【００３４】
【図１】本発明の実施の形態における電装品保護装置の分解斜視図
【図２】同実施の形態における電装品カバーの斜視図
【図３】同実施の形態における電装品保護装置の取り付け状態の拡大側面図
【図４】同実施の形態における電装品保護装置の取り付け状態の拡大平面図
【図５】従来の電装品保護装置における分解斜視図
【図６】従来の電装品保護装置における取り付け状態の拡大側面図
【図７】従来の電装品保護装置における取り付け状態の拡大平面図
【符号の説明】
【００３５】
１１０    電動圧縮機本体
１１５    ガラスターミナル
１１６    電装品
１２０    ブラケット
１２１    係止孔
１２２    下端部
１３０    電装品カバー
１３１    爪部
１３５    突起部
１３７    開口端
１３８    背面
１４０    電源コード
１４１    コード引出し部
【図１】
2005307797.tif 000003
【図２】
2005307797.tif 000004
【図３】
2005307797.tif 000005
【図４】
2005307797.tif 000006
【図５】
2005307797.tif 000007
【図６】
2005307797.tif 000008
【図７】
2005307797.tif 000009